(57)【要約】【課題】装置構造を単純化して低コスト化を図るとともに、光装飾効果を高める。【解決手段】光源（例えばＬＥＤ）からの光を反射する光装飾部材２００を備える。光装飾部材２００は、光源からの光を反射する第１の反射面２０１ａと、第１の反射面２０１ａからの光を遊技機前方に向かって２次反射する第２の反射面２０２ａとを備え、第２の反射面２０２ａにより２次反射された光が全体として発散された状態となるように構成する。第２の反射面２０２ａに、光を所定方向に反射させる凹凸部、あるいは第１の反射面２０１ａからの光を拡散する散乱部を形成することが好ましい。【選択図】          図１
2004194954.tif 000002
【特許請求の範囲】
【請求項１】
光源からの光を反射する光装飾部材を備えた遊技機において、
前記光装飾部材は、前記光源からの光を反射する第１の反射面と、
前記第１の反射面からの光を遊技機前方に向かって２次反射する第２の反射面とを備え、
前記第２の反射面により２次反射された光が全体として発散された状態となるように構成されてなることを特徴とする遊技機。
【請求項２】
前記第２の反射面に複数の凹凸部を形成し、前記各凹凸部の形状に応じて光を所定方向に反射させることを特徴とする請求項１記載の遊技機。
【請求項３】
前記第２の反射面は、前記第１の反射面からの光を散乱させる散乱部を有することを特徴とする請求項１または２記載の遊技機。
【発明の詳細な説明】
【０００１】
【発明の属する技術分野】
本発明は、光源からの光を反射する光装飾部材を備えた遊技機に関する。
【０００２】
【従来の技術】
従来、光源からの光を反射する光装飾部材を備え、この光装飾部材により装飾効果を高めるようにした遊技機が種々提案されている。
【０００３】
例えば、発光ダイオード等からなる光源からの光を、光軸と平行な平坦面および光軸と所定の角度を有する傾斜面等により反射することにより、光源から発せられる光の均一化を図るようにした遊技機がある（例えば特許文献１参照）。
【０００４】
また、光源の周囲に光装飾部材を配設し、光装飾部材を用いて光源からの光を直接反射することにより、電飾効果を高めるようにした遊技機がある（例えば特許文献２参照）。
【０００５】
【特許文献１】
特開２００２−２３３６１３号公報（第５頁〜第７頁、図３）
【０００６】
【特許文献２】
特開２００２−１７９６５号公報（第３頁〜第４頁、図１０）
【０００７】
【発明が解決しようとする課題】
ところで、ＬＥＤを光源とした場合には、ＬＥＤから発せられる光束の幅が狭いため、反射部材を用いなくては広範囲を照明することができない。また、電球を光源とした場合には、電球から発せられる光束の幅が広いため、反射部材を用いなくては光線の焦点を絞ることができない。このため、上記従来の各技術では、反射部材に対して種々の工夫が施されている。
【０００８】
しかしながら、上記従来の各技術は、光装飾効果を高めることはできるが装置構造が複雑となって製造コストが上昇するものであったり、装置構造が単純ではあるが光装飾効果を高めることができないものである等、低コスト化および光装飾効果の向上の双方を満足することができる遊技機は開発されていなかった。
【０００９】
本発明は、上述した事情に鑑み提案されたもので、装置構造を単純化して低コスト化を図るとともに、光装飾効果を高めることができる遊技機を提供することを目的とする。
【００１０】
【課題を解決するための手段】
本発明に係る遊技機は、上述した目的を達成するため、以下の特徴点を備えている。なお、本発明に係る遊技機の各構成要素について、図面に付した符号を参照して、具体的な適用例を示すが、各構成要素はこれらに限定されるものではない。
【００１１】
すなわち、本発明に係る遊技機は、光源（ＬＥＤ２１０）からの光を反射する光装飾部材を備えた遊技機（パチンコ機１）において、
前記光装飾部材は、前記光源（ＬＥＤ２１０）からの光を反射する第１の反射面（２０１ａ）と、
前記第１の反射面（２０１ａ）からの光を遊技機（パチンコ機１）前方に向かって２次反射する第２の反射面（２０２ａ）とを備え、
前記第２の反射面（２０２ａ）により２次反射された光が全体として発散された状態となるように構成されてなることを特徴とするものである。
【００１２】
なお、前記遊技機（パチンコ機１）では、光源（ＬＥＤ２１０）からの光を遊技機（パチンコ機１）前方に向かって２次反射する反射面を第２の反射面（２０２ａ）と称し、この第２の反射面（２０２ａ）に対して光源（ＬＥＤ２１０）側に位置する反射面を第１の反射面（２０１ａ）と称しているが、例えば、第１の反射面（２０１ａ）と光源（ＬＥＤ２１０）との間に、さらに反射面が存在するように構成することも可能である。
【００１３】
このような構成からなる遊技機（パチンコ機１）では、光源（ＬＥＤ２１０）からの光が第１の反射面（２０１ａ）により反射された後、さらに第２の反射面（２０２ａ）により２次反射されて発散される。このように光源（ＬＥＤ２１０）からの光が複数回反射されるため、特に、複数の光源（ＬＥＤ２１０）を互いに異なる発光色とすれば、色むらの少ない中間色を表現することができるとともに、広範囲にわたって多彩な光装飾を行うことができる。
【００１４】
また、前記遊技機（パチンコ機１）において、前記第２の反射面（２０２ａ）に複数の凹凸部を形成し、前記各凹凸部の形状に応じて光を所定方向に反射させることが好ましい。
【００１５】
このような構成からなる遊技機（パチンコ機１）では、各凹部、各凸部の形状に応じて、光の反射方向が異なるとともに、各凹部では光が集束するように反射され、各凸部では光が発散するように反射される。このため、光の反射方向に意外性が生じるとともに、各凹凸部により反射された光が複雑に交錯して、さらに多彩な光装飾を行うことができる。
【００１６】
また、前記遊技機（パチンコ機１）において、前記第２の反射面（２０２ａ）は、前記第１の反射面（２０１ａ）からの光を散乱させる散乱部を有することが好ましい。
【００１７】
この散乱部は、具体的には、第２の反射面（２０２ａ）に対して、梨地加工を施したり、シボを形成したり、複数の溝を形成することにより構成される。
【００１８】
このような構成からなる遊技機（パチンコ機１）では、第２の反射面（２０２ａ）に設けた散乱部により、光源（ＬＥＤ２１０）からの光が散乱される。このため、光源（ＬＥＤ２１０）からの光が柔らかな反射光となるとともに、中間色の表現が容易となり、さらに多彩な光装飾を行うことができる。
【００１９】
【発明の実施の形態】
以下、図面を参照して、本発明に係る遊技機の実施形態を説明する。
なお、以下に示す実施形態では、代表的な遊技機であるパチンコ機を例にとって説明を行う。
【００２０】
＜パチンコ機の概略構成＞
図６は、本発明の実施形態に係る遊技機の正面図である。
本発明の一実施形態に係るパチンコ機１は、図６に示すように、外枠２と、この外枠２の上半部に開閉可能に取り付けられたフロントドア３を備えており、その下方には操作部４が設けられている。
【００２１】
操作部４には、遊技に使用する遊技球を貯留するとともに賞として払い出される遊技球を受け入れる上皿５と、上皿５からオーバーフローした遊技球を受け入れる下皿６とが上下に並べて取り付けられている。また、下皿６の右側には遊技球の発射操作を行なう発射ハンドル７が設けられ、下皿６の左側には灰皿８が設けられている。さらに、上皿５には、当該パチンコ機１における球貸操作等を行なう操作パネル９が設けられている。
【００２２】
また、フロントドア３には、後述する遊技部５２を前方側から覆うようにしてガラス板等からなる透明板が取り付けられており、フロントドア３の上部前面には遊技盤が取り付けられている。
【００２３】
さらに、フロントドア３には、遊技部５２の周囲前方に位置するようにして装飾枠１０が設けられており、装飾枠１０の上部には、左右一対のスピーカ装置１１が配設されている。
【００２４】
＜遊技盤＞
フロントドア３の上部前面に取り付けられた遊技盤は、図６に示すように、その表面に一対のガイドレール５１で囲まれた略円形の遊技部５２を備えており、遊技部５２内には、複数の障害釘や風車等の障害部材５３が配設されるとともに、複数の特別図柄を変動表示するとともに演出画像を表示する画像表示装置５４と、普通図柄を変動表示する普通図柄表示部５５（画像表示装置５４において画像表示される）と、複数の入賞口と、いずれの入賞口にも入賞しなかった遊技球を遊技部５２内から排出するアウト口５６とが設けられている。
【００２５】
上記画像表示装置５４の周囲には、遊技盤の表面から立ち上がる画面枠部材１００が設けられており、この画面枠部材１００の下辺部分には、側方から飛び込んだ遊技球を一時滞留させ、その後この遊技球を後述する始動入賞口６２に流下させるステージ５８が設けられている。
【００２６】
＜入賞口＞
上記入賞口は、その機能によって複数種類に分かれており、遊技球が入賞したことを条件として所定数の賞球を排出する一般入賞口５９と、遊技球が通過したことを条件として、普通図柄表示部５５における普通図柄の変動表示を開始させる普通図柄始動口６０と、遊技球を受け入れ易い状態と、遊技球を受け入れ難い状態との間で切換可能な変動部材（以下、普通電動役物６１と称す）を有し、遊技球が入賞したことを条件として画像表示装置５４における特別図柄の変動表示を開始させる始動入賞口６２と、遊技球を受け入れ易い状態と、遊技球を受け入れ難い状態との間で切換可能となっており、画像表示装置５４における図柄の停止表示態様が所定の賞態様を構成した場合に、所定時間および所定回数だけ遊技球を受け入れ易い状態に切り換えられる大入賞口６３とからなる。
【００２７】
＜普通図柄始動口＞
上記普通図柄始動口６０は、始動入賞口６２の左上方に設けられており、通過する遊技球を検出するようになっている。この普通図柄始動口６０の通過球は、４個まで記憶可能となっており、この入賞記憶に基づいて、普通図柄表示部５５における図柄の変動表示が行なわれる。また、画像表示装置５４の右側上部には、普通図柄始動口６０の通過記憶個数を表示する４個の普通図柄記憶ＬＥＤ６４が設けられている。この普通図柄記憶ＬＥＤ６４の点灯個数により、普通図柄始動口６０の通過記憶個数を表示することができる。
【００２８】
＜始動入賞口＞
上記始動入賞口６２の左右には、遊技球を受け入れ易い状態と、遊技球を受け入れ難い状態との間で切換可能なチューリップ状の普通電動役物６１が設けられている。この普通電動役物６１は、通常の状態では遊技球を受け入れ難い状態となっており、普通図柄表示部５５において「当たり」となった場合に、所定時間（例えば、０．３秒間）だけ遊技球を受け入れ易い状態に切り換えられる。
【００２９】
また、始動入賞口６２への入賞球は、４個まで記憶可能となっており、この入賞記憶に基づいて、画像表示装置５４における図柄の変動表示が行なわれる。画像表示装置５４の上方には、始動入賞口６２への入賞記憶個数を表示する４個の特別図柄記憶ＬＥＤ６５が設けられている。この特別図柄記憶ＬＥＤ６５の点灯個数により、始動入賞口６２への入賞記憶個数を表示することができる。
【００３０】
＜画面枠部材＞
次に、光装飾部材２００を取り付ける画面枠部材１００について説明する。図５は、光装飾部材２００を取り付ける画面枠部材１００の分解斜視図である。
【００３１】
画面枠部材１００は、図５に示すように、遊技盤に取り付けられる取付画面枠部材１０１と、この取付画面枠部材１０１の前面側に取り付けられる基部画面枠部材１０２と、これら基部画面枠部材１０２および取付画面枠部材１０１の間に配設される複数のＬＥＤ基板１０３と、基部画面枠部材１０２の前面側に配される各種の演出部（１１０，１２０，１３０，１４０）とを備えてなる。
【００３２】
基部画面枠部材１０２の背面の略中央部には、画像表示装置の画像表示装置５４（図６参照）が臨む画面用開口１０４が形成されており、また、基部画面枠部材１０２の内側部分には、画面用開口１０４の前方空間を囲むように構成された凹室１０５が設けられている。また、基部画面枠部材１０２には、流下通路部（ワープルート）１０６が設けられている。この流下通路部１０６は、詳細には図示しないが、基部画面枠部材１０２の頂部に設けられた導入口から凹室１０５内への排出口までを繋ぐ経路と、導入口から遊技部５２（図６参照）への排出口までを繋ぐ経路とを備えており、遊技部５２から導入口に流入した遊技球を、一旦遊技者から見えない状態とした後、排出口から凹室１０５内に排出したり、排出口から遊技部５２に再度排出したりするように構成されている。
【００３３】
上記演出部は、正面側から見て、凹室１０５の左側方に位置する第１補助演出表示部１１０と、凹室１０５の右側方に位置する第２補助演出表示部１２０と、凹室１０５の上方に位置する演出表示部１３０と、凹室１０５の下辺部に位置するステージ部１４０とに分けられる。
【００３４】
第１補助演出表示部１１０は、図５に示すように、前面側にキャラクタの図柄等が形成される回動部材１１１を備えてなる。この回動部材１１１は、流下通路部１０６内を凹室１０５に向かって流れる遊技球と接触する位置に配置されており、接触時に遊技球から受ける力によって、所定角度範囲内で揺動するように構成されている。
【００３５】
＜光装飾部材＞
上記画像表示装置５４の上部に位置する画面枠部材１００の前面には、演出表示部１３０の一構成要素として、ＬＥＤ等を用いて光装飾を行うための光装飾部材２００が取り付けられている。
【００３６】
図１〜図４を参照して、光装飾部材を詳細に説明する。図１は光装飾部材の斜視図、図２は光装飾部材の正面図、図３は光装飾部材の縦断面図、図４は画面枠部材を正面から見た状態における光源の配設位置を示す説明図である。
【００３７】
光装飾部材２００は、図１〜図３に示すように、半円錐形状の第１の反射部材２０１と、第１の反射部材２０１の周囲を覆うように配設された第１の反射部材２０１よりも大きな半円錐形状の第２の反射部材２０２とを有する。また、第２の反射部材２０２の中心部付近には、光源からの光を第１の反射部材２０１へ向かって透過して照射する光透過口２０３が設けられている。
【００３８】
第１の反射部材２０１の背面は、光源からの光を反射する第１の反射面２０１ａとなっており、第２の反射部材２０２の前面は、第１の反射面２０１ａからの光をパチンコ機前方に向かって２次反射する第２の反射面２０２ａとなっている。
【００３９】
また、第２の反射面２０２ａには、中心部から周辺部にかけて放射状となった複数の凹凸部が形成されており、各凹部が光集束機能を有するようになっている。
【００４０】
上記ＬＥＤ基板１０３には、図４に示すように、複数のＬＥＤが配設されており、これらのＬＥＤのうち、第１の反射部材２０１の背面側において、２列の半円弧状に配設されたＬＥＤ２１０が、光装飾部材２００における光源となっている。
【００４１】
光源から発せられた光は、図１〜図３において矢印付き一点鎖線で示すように、光透過口２０３を透過して第１の反射面２０１ａにより反射された後、第２の反射面２０２ａにより２次反射される。
【００４２】
この際、光源からの光は、第１の反射面２０１ａにおいて、第２の反射面２０２ａに向かって発散するように反射される。さらに、第２の反射面２０２ａの各凹部では、光源からの光がそれぞれ集束するように２次反射される。なお、第１の反射面２０１ａおよび第２の反射面２０２ａは、光源からの光が両反射面により反射された後に全体として発散するような形状に形成されている。
このように、２つの反射部材２０１，２０２を設けることにより、遊技盤後方に設けた光源からの光を、反射を繰り返しつつ遊技盤前方に射出することが可能となる。
【００４３】
また、第２の反射面２０２ａには、第１の反射面２０１ａからの光を散乱するための散乱部を形成することが好ましい。この散乱部は、例えば、第２の反射面２０２ａに対して、梨地加工を施したり、シボを形成したり、複数の溝を形成してもよい。この散乱部では、光源からの光が散乱されるため、光源からの光が柔らな反射光となるとともに、中間色の表現が容易となる。
【００４４】
また、図５に示すように、光装飾部材２００の前面には、光透過性を有する装飾板２２０が配設されている。この装飾板２２０は、例えばアクリル板からなり、シートあるいはシールを貼付したり、彩色を施したりすることができる。シート、シール、および彩色は、光透過性を有するものであっても、光透過性を有しないものであってもよい。また、この装飾板２２０にシボやカット等の加工を施すことで特有の光散乱効果を奏するようにしてもよい。このような装飾板２２０を配設することにより、さらに複雑な色表現が可能となり、より一層多彩な光装飾を行うことができる。
【００４５】
さらに、図５に示すように、装飾板２２０の前面に、キャラクタ等を模した複数の装飾部材２３０ａ〜２３０ｄが配設されている。この装飾部材２３０ａ〜２３０ｄを配設することにより、光源からの光が装飾部材２３０ａ〜２３０ｄを照明し、あるいは装飾部材２３０ａ〜２３０ｄにより反射されて、より一層多彩な光装飾を行うことができる。
【００４６】
＜他の実施形態＞
なお、上述した実施形態では光源を第１の反射部材の後方に配設したが、光源の位置はこれに限られるものではなく、第１の反射部材の上方あるいは側方に光源を配設することもできる。
また、上述した実施形態ではパチンコ機を例にとって説明を行ったが、本発明に係る遊技機はパチンコ機に限られるものではなく、光源からの光を反射する光装飾部材を備えた遊技機であればどのような遊技機にも適用することができ、例えばアレンジボール遊技機、パチスロ遊技機、スロットマシン、その他のゲームマシン等にも適用することができる。
【００４７】
【発明の効果】
以上説明したように、本発明に係る遊技機によれば、光源からの光が複数回反射されるため、色むらの少ない中間色を表現することが可能となるとともに、広範囲にわたって多彩な光装飾を行うことが可能となる。
【００４８】
さらに、本発明に係る遊技機では、光装飾部材という、単純な装置構造を用いて光装飾を行なうため、製造コストを低減することができる。
【図面の簡単な説明】
【図１】本発明の実施形態に係る遊技機に用いる光装飾部材の斜視図
【図２】本発明の実施形態に係る遊技機に用いる光装飾部材の正面図
【図３】本発明の実施形態に係る遊技機に用いる光装飾部材の縦断面図
【図４】本発明の実施形態に係る遊技機に用いる画面枠部材を正面から見た状態における光源の配設位置を示す説明図
【図５】本発明の実施形態に係る遊技機に用いる光装飾部材を取り付ける画面枠部材の分解斜視図
【図６】本発明の実施形態に係る遊技機の正面図
【符号の説明】
１  パチンコ機
２  外枠
３  フロントドア
４  操作部
５  上皿
６  下皿
７  発射ハンドル
８  灰皿
９  操作パネル
１０  装飾枠
１１  スピーカ
５１  ガイドレール
５２  遊技部
５３  障害部材
５４  画像表示装置
５５  普通図柄表示部
５６  アウト口
５８  ステージ
５９  一般入賞口
６０  普通図柄始動口
６１  普通電動役物
６２  始動入賞口
６３  大入賞口
６４  普通図柄記憶ＬＥＤ
６５  特別図柄記憶ＬＥＤ
１００  画面枠部材
１０１  取付画面枠部材
１０２  基部画面枠部材
１０３  ＬＥＤ基板
１０４  画面用開口
１０５  凹室
１０６  流下通路部
１１０  第１補助演出表示部
１１１  回動部材
１２０  第２補助演出表示部
１３０  演出表示部
１４０  ステージ部
２００  光装飾部材
２０１  第１の反射部材
２０１ａ  第１の反射面
２０２  第２の反射部材
２０２ａ  第２の反射面
２０３  光透過口
２１０  ＬＥＤ
２２０  装飾板
２３０ａ〜ｄ  装飾部材
【図１】
2004194954.tif 000003
【図２】
2004194954.tif 000004
【図３】
2004194954.tif 000005
【図４】
2004194954.tif 000006
【図５】
2004194954.tif 000007
【図６】
2004194954.tif 000008